(57)【要約】      （修正有）【課題】電池および電池の保護回路基板を備えた構成において、レイアウトの良好な小型の電子機器を提供する。【解決手段】電子機器としての装着者情報測定装置１００は、回路基板１２と、電池としての二次電池７０、二次電池７０に接続されている電池の保護回路基板７２と、保護回路基板７２に対して、回路基板１２とは反対側に配置されているセンサーとしての圧力センサー５０と、を備えている。【選択図】図２
2017026476.tif 000002
【特許請求の範囲】
【請求項１】
回路基板と、
電池と、
前記電池に接続されている前記電池の保護回路基板と、
前記保護回路基板に対して、前記回路基板とは反対側に配置されているセンサーと、を備えていることを特徴とする電子機器。
【請求項２】
前記保護回路基板および前記回路基板は、平板状であり、
前記保護回路基板の平面方向が、前記回路基板の平面方向に沿って配置されていることを特徴とする請求項１に記載の電子機器。
【請求項３】
前記保護回路基板は、前記電池の一端の外側に配置され、前記回路基板の平面における外周端部に接続されていることを特徴とする請求項１または請求項２に記載の電子機器。
【請求項４】
蓋部をさらに有し、
前記蓋部は、前記電池に対して、前記回路基板とは反対側に配置されていることを特徴とする請求項１ないし請求項３のいずれか一項に記載の電子機器。
【請求項５】
前記センサーは、圧力センサーであり、
前記圧力センサーの開口部は、前記回路基板または前記保護回路基板よりも前記蓋部側に配置されていることを特徴とする請求項４に記載の電子機器。
【請求項６】
前記電池は、
前記蓋部に設けられた凹部に配置されていることを特徴とする請求項４または請求項５に記載の電子機器。
【請求項７】
前記保護回路基板は、接続部を介して前記回路基板と電気的に接続されていることを特徴とする請求項１ないし請求項６のいずれか一項に記載の電子機器。
【請求項８】
前記接続部は、導電性を備えたコイルばねで構成されていることを特徴とする請求項７に記載の電子機器。
【請求項９】
前記回路基板、前記電池、前記保護回路基板、および前記センサーを収容するケースと、
前記ケースの一端に接続されたバンドと、をさらに有し、
前記保護回路基板および前記センサーは、前記ケースの前記バンドの接続方向に沿った一端、および、前記ケースの一端とは反対側の前記ケースの他端のいずれかに配置されていることを特徴とする請求項１ないし請求項８のいずれか一項に記載の電子機器。
【請求項１０】
測位用衛星からの衛星信号を受信するアンテナをさらに有し、
前記アンテナは、前記ケースの一端または前記ケースの他端のうち、前記電子機器がユーザーの腕に装着されたときに、前記腕の親指側となる側に配置され、
前記センサーは、前記ケースの一端または前記ケースの他端のうち、前記アンテナが配置された側とは異なる側に配置されていることを特徴とする請求項９に記載の電子機器。
【発明の詳細な説明】
【技術分野】
【０００１】
本発明は、電池および電池の保護回路基板などを備えた電子機器に関する。
【背景技術】
【０００２】
従来、例えば圧力センサーなどのセンサーを備えたリスト装着型の電子機器が知られている。このような電子機器としては、例えば特許文献１には、圧力センサーや回路基板などを外装ケースの背面側（裏蓋側）に配置した電子時計が開示されている。この電子時計は、回路基板の正面側に液晶パネル（表示部）が配置され、該回路基板の背面側（裏蓋側）に、電池枠に挿入されて保持された電池や圧力センサーなどが配置され、回路基板に接続されている。
【０００３】
また、このような電子機器においては、電池として充電可能な二次電池を用いることがある。この場合、充電制御などを行い、二次電池を保護する保護回路を備えた保護回路基板が必要となる。
【先行技術文献】
【特許文献】
【０００４】
【特許文献１】特開２０１１−１９１２１３号公報
【発明の概要】
【発明が解決しようとする課題】
【０００５】
しかしながら、特許文献１の電子時計の構成で保護回路基板を設けるためには、電池枠を拡大して収納空間を広げ保護回路基板を収納したり、電池枠と裏蓋との間に収納空間を設けて保護回路基板を収納したりし、配線によって保護回路基板と回路基板とを接続しなければならない。このような構成を適用すると、外装ケースが大型化（電子時計の外形寸法が大きくなる）したり、接続配線が複雑化したりする虞があり、小型化を要求されるリスト装着型の電子時計（電子機器）には不適である。このため、保護回路基板を備えている構成においても、よりレイアウトの良好な小型の電子機器が望まれていた。
【課題を解決するための手段】
【０００６】
本発明は、上述の課題の少なくとも一部を解決するためになされたものであり、以下の形態または適用例として実現することが可能である。
【０００７】
［適用例１］本適用例に係る電子機器は、回路基板と、電池と、前記電池に接続されている電池の保護回路基板と、前記保護回路基板に対して、前記回路基板とは反対側に配置されているセンサーと、を備えていることを特徴とする。
【０００８】
本適用例によれば、保護回路基板に対して、回路基板と反対側にセンサーが配置されていることから、電池に対して回路基板と反対側に保護回路基板を配置したり、回路基板、電池、保護回路基板、およびセンサーを横並びに配置したりするよりも、配置に必要な収納空間を小さくすることができる。これにより、レイアウト性が向上し、小型の電子機器を提供することが可能となる。
【０００９】
［適用例２］上記適用例に記載の電子機器において、前記保護回路基板および前記回路基板は、平板状であり、前記保護回路基板の平面方向が、前記回路基板の平面方向に沿って配置されていることが好ましい。
【００１０】
本適用例によれば、保護回路基板の厚さ方向の配置空間を効率的に使うことができ、回路基板と保護回路基板とが並ぶ方向（保護回路基板の厚さ方向）の空間を広くすることができる。
【００１１】
［適用例３］上記適用例に記載の電子機器において、前記保護回路基板は、前記電池の一端の外側に配置され、前記回路基板の平面における外周端部に接続されていることが好ましい。
【００１２】
本適用例によれば、保護回路基板が回路基板の外周端部で接続されているため、回路基板の電池側における空間を広くすることができる。
【００１３】
［適用例４］上記適用例に記載の電子機器において、蓋部をさらに有し、前記蓋部は、前記電池に対して、前記回路基板とは反対側に配置されていることが好ましい。
【００１４】
本適用例によれば、電池に対して、回路基板とは反対側に配置されている蓋部により、回路基板および電池を含む構成部材を収納する収納空間を形成することが可能となる。
【００１５】
［適用例５］上記適用例に記載の電子機器において、前記センサーは、圧力センサーであり、前記圧力センサーの開口部は、前記回路基板または前記保護回路基板よりも前記蓋部側に配置されていることが好ましい。
【００１６】
本適用例によれば、圧力センサーの圧力導入経路が、回路基板や保護回路基板などと干渉し難いため、圧力センサーの配置構造を簡易化することが可能となる。
【００１７】
［適用例６］上記適用例に記載の電子機器において、前記電池は、前記蓋部に設けられた凹部に配置されていることが好ましい。
【００１８】
本適用例によれば、従来用いられていた電池枠が不要となる。また、電池枠を設けなくても、電池を収納空間内で安定的に保持することができる。
【００１９】
［適用例７］上記適用例に記載の電子機器において、前記保護回路基板は、接続部を介して前記回路基板と電気的に接続されていることが好ましい。
【００２０】
本適用例によれば、接続部により簡便に、且つ小さな平面サイズで保護回路基板を回路基板に接続することができる。
【００２１】
［適用例８］上記適用例に記載の電子機器において、前記接続部は、導電性を備えたコイルばねで構成されていることが好ましい。
【００２２】
本適用例によれば、コイルばねは、平面サイズをより小さくすることができるため、接続スペースを縮小することができる。また、コイルばねの可撓性により、衝撃が加わった場合などの応力を緩衝し、接続の信頼度を向上させることが可能となる。
【００２３】
［適用例９］上記適用例に記載の電子機器において、前記回路基板、前記電池、前記保護回路基板、および前記センサーを収容するケースと、前記ケースの一端に接続されたバンドと、をさらに有し、前記保護回路基板および前記センサーは、前記ケースの前記バンドの接続方向に沿った一端、および、前記ケースの一端とは反対側の前記ケースの他端のいずれかに配置されていることが好ましい。
【００２４】
本適用例によれば、電子機器をユーザーの腕に装着し、腕を動かした場合に、バンドの配置方向（腕時計で例えると、１２時方向および６時方向に相当する）側は、風圧などの影響を受け難く、計測の正確性を高めることが可能となる。
【００２５】
［適用例１０］上記適用例に記載の電子機器において、測位用衛星からの衛星信号を受信するアンテナをさらに有し、前記アンテナは、前記ケースの一端または前記ケースの他端のうち、前記電子機器がユーザーの腕に装着されたときに、前記腕の親指側となる側に配置され、前記センサーは、前記ケースの一端または前記ケースの他端のうち、前記アンテナが配置された側とは異なる側に配置されていることが好ましい。
【００２６】
本適用例によれば、ユーザーの腕に電子機器を装着した場合、アンテナが上空方向（測位用衛星の在位置）を向き易いため、衛星信号を受信し易く、安定した受信を行うことができる。
【図面の簡単な説明】
【００２７】
【図１】本発明の電子機器の一例としての装着者情報測定装置の概略を示す斜視図。
【図２】第１実施形態に係る装着者情報測定装置の断面を示し、図１のｆ−Ｆにおける断面図。
【図３】図２のＡ部を拡大した部分断面図。
【図４】第２実施形態に係る装着者情報測定装置の断面を示し、図１のｆ−Ｆにおける断面図。
【図５】図４のＢ部を拡大した部分断面図。
【図６】装着者情報測定装置の概略構成を示すブロック図。
【発明を実施するための形態】
【００２８】
以下、本発明の電子機器の実施形態に係るウェアラブル型の装着者情報測定装置について、添付図面等を参照しながら詳細に説明する。なお、添付図面において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２９】
＜第１実施形態＞
先ず、図１、図２、および図３を参照して、本発明の電子機器の第１実施形態に係るウェアラブル型の装着者情報測定装置について説明する。図１は、本発明の電子機器の一例としての装着者情報測定装置の概略を示す斜視図である。図２は、第１実施形態に係る装着者情報測定装置の断面を示し、図１のｆ−Ｆにおける断面図である。図３は、図２のＡ部を拡大した部分断面図である。なお、図１、図２、および図３では、説明の便宜上、それぞれ直交する３軸をＸ軸、Ｙ軸、Ｚ軸として示し、後述するガラス板１９の面に垂直な軸をＺ軸としている。また、以下において「軸方向」とは、「軸に沿う方向」を意味する。
【００３０】
図１に示すように、ウェアラブル型の装着者情報測定装置１００は、ユーザー（装着者）の所与の部位（例えば、手首もしくは腕）に装着され、ユーザー（装着者）の位置情報や運動情報などを検出する。装着者情報測定装置１００は、ユーザーに装着されて位置情報や運動情報などを検出する機器本体１０と、機器本体１０に取り付けられ機器本体１０をユーザーに装着するためのバンド１５と、を有する。なお、装着者情報測定装置１００には、ユーザー（装着者）の位置情報や運動情報に加えて、例えば脈波情報などの生体情報を検出する機能や時刻情報などを取得する機能を設けてもよい。
【００３１】
機器本体１０は、ユーザーへの装着側に蓋部（裏蓋）としてのボトムケース１３が配置され、ユーザーへの装着側と反対側には、トップケース１１が配置されている。このボトムケース１３とトップケース１１とによりケースが構成される。機器本体１０のトップ側（トップケース１１）には、ベゼル１８が設けられるとともに、このベゼル１８の内側に配置されて内部構造を保護する天板部分（外壁）としてのガラス板１９が設けられている。機器本体１０は、ガラス板１９を介して、ガラス板１９の直下に設けられる液晶ディスプレイ（ＬＣＤ３４）等の表示部の表示をユーザーが閲覧可能な構成としてもよい。つまり本実施形態の装着者情報測定装置１００では、検出した位置情報や運動情報、或いは時刻情報等の種々の情報を表示部としてのＬＣＤ３４によって表示し、当該表示を機器本体１０のトップ側からユーザーに提示するものであってもよい。また、装着者情報測定装置１００では、検出した位置情報や運動情報、或いは時刻情報等の種々の情報を、例えば後述する振動モーター２０（図２参照）によって発生させた振動によって伝達するものであってもよい。また、ボトムケース１３の両側（Ｙ軸方向）には、バンド１５との接続部である一対のバンド装着部１７が設けられている。
【００３２】
なお、ここでは機器本体１０の天板部分をガラス板１９により実現する例を示したが、ＬＣＤ３４を閲覧可能な透明部材であり、ＬＣＤ３４などのトップケース１１とボトムケース１３の内部（図２に示す内部空間１６）に含まれる構成を保護可能な程度の強度を有する部材であれば、透明のプラスチック等、ガラス以外の材料により天板部分を構成することが可能である。また、ベゼル１８が設けられた構成例を示したが、ベゼル１８の設けられていない構成であってもよい。
【００３３】
次に、図２および図３を参照して、装着者情報測定装置１００のうちの機器本体１０の断面構造の一例を説明する。
【００３４】
図２に示すように、機器本体１０には、トップケース１１と蓋部（裏蓋）としてのボトムケース１３とガラス板１９とに囲まれた内部空間１６が設けられている。そして、この内部空間１６に、回路基板１２、電池としての二次電池７０、回路基板１２に接続されたアンテナとしてのＧＰＳ（Global Positioning System）アンテナ６４、センサーとしての圧力センサー（高度測定用の気圧センサー）５０、地磁気センサー５５、振動モーター２０、二次電池７０の端子が接続された保護回路基板７２、ＤＣＤＣコンバーター（直流−直流変換器）８０やＭＣＵ（Micro Controller Unit）（不図示）などの電子部品、および液晶ディスプレイ（ＬＣＤ３４）などが配置されている。
【００３５】
ただし、装着者情報測定装置１００（機器本体１０）の構成は図１、図２、および図３に示す構成に限定されず、他の構成を追加したり、一部の構成を省略したりすることが可能である。例えば、他の情報処理機器（図示せず）との通信を行う通信用のアンテナ４３を含む通信部４０（図６参照）、もしくは加速度センサー（移動情報の測定用）６６（図６参照）などを追加したり、ＧＰＳアンテナ６４を省略したりしてもよい。
【００３６】
蓋部（裏蓋）としてのボトムケース１３は、二次電池７０に対して、回路基板１２とは反対側に配置されていることが好ましい。このようにボトムケース１３を配置することにより、回路基板１２、二次電池７０、圧力センサー５０、および保護回路基板７２などの構成部材を収納する収納空間（内部空間１６）をより広く設けることが可能となり、効率的な収納を行うことができる。
【００３７】
液晶ディスプレイ（ＬＣＤ３４）では、各モードに応じて、例えば、ＧＰＳや地磁気センサー５５および圧力センサー５０を用いた標高（高度）などを含む位置情報、移動量や運動量などの運動情報、脈拍数などの生体情報、もしくは現在時刻などの時刻情報などが表示される。そして、この表示は、ガラス板１９を介してユーザーが閲覧（視認）することができる。
【００３８】
回路基板１２には、一方の面１２ａ（２つの面のうち、相対的にＬＣＤ３４に近い側の実装面）に、ＧＰＳアンテナ６４、地磁気センサー５５、振動モーター２０、ＤＣＤＣコンバーター８０などの電子部品、および液晶ディスプレイ（ＬＣＤ３４）の接続部などが実装され、反対側となる他方の面１２ｂ（２つの面のうち、相対的にＬＣＤ３４から遠い側の実装面）に、二次電池７０の端子が接続された保護回路基板７２が接続されている。なお、回路基板１２は、ガラス繊維入りのエポキシ樹脂系の基板などが用いられた平板状の実装基板であり、両面に銅箔などからなる配線パターンが形成されている。
【００３９】
アンテナとしてのＧＰＳアンテナ６４は、ＧＰＳ衛星（図示せず）からの電波（衛星信号）を受信する。受信されたＧＰＳ衛星からの電波（衛星信号）は、演算回路（図示せず）にて演算され、ユーザー（装着者）の位置情報や時刻情報としてＬＣＤ３４に表示（報知）される。アンテナとしてのＧＰＳアンテナ６４は、装着者情報測定装置１００がユーザーの腕に装着されたときに、該腕の親指側となるボトムケース１３内の収納空間に配置されていることが好ましい。換言すれば、ＧＰＳアンテナ６４は、ボトムケース１３の両側（Ｙ軸方向）に設けられたバンド１５の配置方向に沿った位置であり、腕時計に例えると、６時方向に相当する側に配置される。このように配置することにより、ユーザーの腕に装着者情報測定装置１００を装着した場合、ＧＰＳアンテナ６４が上空方向（測位用衛星の在位置）を向き易いため、衛星信号を受信し易くなり、安定した受信を行うことができる。
【００４０】
地磁気センサー５５は、地磁気における磁界の向きを計測することができる。そして、地磁気センサー５５で計測された計測結果は、演算回路にて演算され、ユーザー（装着者）に係る方位情報（位置情報の一つ）としてＬＣＤ３４に表示（報知）される。
【００４１】
振動モーター２０は、何らかの通知を振動動作によってユーザーに行うものであり、ＬＣＤ３４とは異なるユーザーインターフェイスとして利用可能である。
【００４２】
ＤＣＤＣコンバーター８０は、二次電池７０から供給される電源の電圧を降圧し、対応する回路素子に供給することができる。
【００４３】
また、図示しないが、回路基板１２には、装着者情報測定装置１００の動作を制御する回路部品などを含むＭＣＵ（Micro Controller Unit）が実装されていてもよい。
【００４４】
また、回路基板１２には、通信部４０（図６参照）を構成するデータ通信用のアンテナ（不図示）が接続されていてもよい。データ通信用のアンテナが設けられていれば、演算処理された位置情報や生体情報などを、機器本体１０以外の装置との間でデータの送受信を行うことができる。換言すれば、例えば装着者情報測定装置１００の機器本体１０と別体で設けられるＬＣＤ３４（表示部）などに位置情報や生体情報などを表示したり報知したりすることができる。これにより、装着者情報測定装置１００と別体で設けられるＬＣＤ３４（表示部）とを少なくとも含む装着者情報測定システムを提供することが可能となる。
【００４５】
また、回路基板１２には、加速度センサー６６（図６参照）が接続されていてもよい。加速度センサー６６（図６参照）は、直交する３軸方向に検出軸が向くように配置されることが好ましい。このように、加速度センサー６６を設けることにより、ユーザー（装着者）の移動方向や移動量を計測することができる。その場合、加速度センサー６６は、地磁気センサー５５の検出軸方向に対して、少なくとも一軸の検出軸方向が沿うように配置されていることが好ましい。
【００４６】
回路基板１２に接続されている保護回路基板７２は、上面７２ａおよび上面７２ａと反対側の面である下面７２ｂとを備えた平板状の基板であり、二次電池７０の充電制御回路などを含み構成されている。保護回路基板７２は、二次電池７０の端子と接続リード板７９によって下面７２ｂ側で接続され、前述した回路基板１２の平面方向に、保護回路基板７２の平面方向が沿うように、受け部８２上に配置されている。換言すれば、回路基板１２の他方の面１２ｂと保護回路基板７２の上面７２ａとが、互いに向き合うように配置されている。なお、保護回路基板７２の上面７２ａおよび下面７２ｂには、接続リード板７９、後述するコイルばね７８などとの接続用の端子電極が配置されているが図面では省略し、図示していない。
【００４７】
このように、保護回路基板７２を配置することにより、保護回路基板７２の厚さ方向の配置空間を効率的に使うことができ、回路基板１２と保護回路基板７２との並ぶ方向（保護回路基板７２の厚さ方向）の空間を広くすることができ、例えば圧力センサー５０の収納スペースを確保することができる。
【００４８】
また、保護回路基板７２は、二次電池７０の一端の外側に配置されており、回路基板１２の平面方向における外周端部に位置する端子電極２２に、接続部としての二つのコイルばね７８を介して電気的に接続されている。なお、コイルばね７８は、保護回路基板７２と回路基板１２との間に設けられたガイド部８４のガイドホールに配置され、受け部８２に載置された保護回路基板７２と回路基板１２とを、そのバネ力によって押圧して接続している。また、コイルばね７８は、リン青銅、ステンレス鋼などの細線材を巻き加工して形成することができる。また、本形態における二つのコイルばね７８は、Ｙ軸方向に二つが並ぶ構成を示しているが、並び方向はこれに限らず、例えば保護回路基板７２のＸ軸方向の両端部に、コイルばね７８がそれぞれ設けられている構成（Ｘ軸方向に並ぶ構成）などであってもよい。
【００４９】
このように、コイルばね７８を用いた接続部によって、保護回路基板７２を回路基板１２に接続することによって、接続のためのスペースを小さくすることができる。また、コイルばね７８の可撓性により、保護回路基板７２などに衝撃が加わった場合などの応力を緩衝し、接続の信頼度を向上させることが可能となる。また、保護回路基板７２が回路基板１２の外周端部で接続されているため、回路基板１２の二次電池７０側における空間を広くすることができ、電子部品などのレイアウトを行い易くすることが可能となる。
【００５０】
また、保護回路基板７２は、二次電池７０の厚さ（Ｚ軸方向の寸法）よりも薄い厚さで構成されることが好ましい。このような構成とすることにより、保護回路基板７２からボトムケース１３までの空間を広くすることが可能となり、圧力センサー５０などの配置を容易にすることができる。
【００５１】
電池としての二次電池７０は、充電可能な電池（例えばポリマー電池やリチウム電池）であり、両極の端子が保護回路基板７２に接続され、例えばＤＣＤＣコンバーター８０などを含む電源を制御する回路へ電源を供給する。電源は、この回路で所定の電圧に変換されるなどして各回路へ供給され、位置情報を検出する回路、ＬＣＤ３４を駆動する回路、各回路を制御する回路などを動作させる。なお、ここでは電池として二次電池７０を用いる例を説明したが、電池には、充電が不要な一次電池を用いてもよい。
【００５２】
本形態において、二次電池７０は、ボトムケース１３の回路基板１２側（内部空間１６側）に設けられた凹部１４の内側に配置されている。このような構成によれば、従来用いられていた電池枠が不要となる。また、電池枠を設けなくても、二次電池７０を内部空間１６内で安定的に、且つ省スペースにて保持することができる。
【００５３】
センサーとしての圧力センサー（気圧センサー）５０は、二次電池７０の保護回路基板７２の配置されている側にあって、保護回路基板７２に対して、回路基板１２とは反対側の配置領域Ｓに配置されている。図３に示すように、圧力センサー５０は、蓋部（裏蓋）としてのボトムケース１３に設けられている貫通孔５１に挿入されている。貫通孔５１は、開口部５２を介して外気領域（開口領域）Ｑと連通している。つまり、圧力センサー５０の開口部５２は、回路基板１２または保護回路基板７２よりもボトムケース１３側に配置されている。なお、外気領域（開口領域）Ｑは、ユーザー（装着者）の装着部位（例えば、手首もしくは腕）に向く方向、およびバンド１５の接続方向に開口している。そして、圧力センサー５０は、この外気領域（開口領域）Ｑおよび開口部５２を圧力導入経路（外気などを導入する経路）として、例えば気圧データなどの圧力データを取得することができる。
【００５４】
このような圧力センサー５０の圧力導入経路は、回路基板１２や保護回路基板７２などと干渉し難いため、圧力センサー５０の配置構造を簡易化することが可能となる。また、外気領域（開口領域）Ｑが、バンド１５の接続方向に開口していることにより、圧力センサー（気圧センサー）５０の検出に対して、ユーザー（装着者）に装着された機器本体１０の動きなどによる気流の変化の影響を受け難くすることが可能となる。
【００５５】
また、保護回路基板７２に対して、回路基板１２とは反対側に圧力センサー５０が配置されていることにより、二次電池７０に対して回路基板１２とは反対側に保護回路基板７２を配置したり、回路基板１２、二次電池７０、保護回路基板７２、および圧力センサー５０を横並びに配置したりするよりも、配置に必要な収納空間を小さくすることができる。これらにより、レイアウト性が向上し、小型の装着者情報測定装置１００とすることができる。
【００５６】
そして、圧力センサー５０が取得した圧力データ（気圧データ）に基づいて、装着者情報測定装置１００は、ユーザー（装着者）の居る場所（現在位置）の高度（標高）情報を提供することができる。このように、圧力センサー（気圧センサー）５０を接続した装着者情報測定装置１００は、ユーザー（装着者）の居る場所の高度情報（標高情報）を提示できることから、例えば登山者向けやハイカー向けに好適な装置として提供することができる。
【００５７】
なお、上述の配置構成において、保護回路基板７２および圧力センサー５０は、ボトムケース１３の両側に装着されたバンド１５の接続方向（Ｙ軸方向）に沿ったボトムケース１３の一端、および該ボトムケース１３の一端とは反対側のボトムケース１３の他端のいずれかに配置されていることが好ましい。
【００５８】
このような配置とすることにより、装着者情報測定装置１００をユーザーの腕に装着し、腕を動かした場合に、バンド１５の配置方向（図中Ｙ軸方向、腕時計で例えると、１２時方向および６時方向に相当する）側は、風圧などの影響を受け難く、圧力センサー５０の計測の正確性を高めることが可能となる。
【００５９】
次に、装着者情報測定装置１００の構成について、図６を参照して説明する。図６は、装着者情報測定装置１００の構成の一例を示すブロック図である。装着者情報測定装置１００は、ＭＣＵ（Micro Controller Unit）１１０を備えている。ＭＣＵ１１０は、コンピュータシステムを集積回路にまとめた組み込み用のマイクロプロセッサーであり、装着者情報測定装置１００の動作を制御する。また、ＭＣＵ１１０は、例えば地磁気センサー５５などの各種センサーが計測し、取得したデータの演算回路（図示せず）を含むことができる。
【００６０】
ＭＣＵ１１０は、少なくともＧＰＳ通信部６０および表示制御部３０を含んで構成されている。ＧＰＳ通信部６０は、衛星信号の受信、ＧＰＳ衛星の捕捉、位置情報の生成、時刻修正情報の生成等の処理を行う。また、表示制御部３０は、位置情報や時刻情報、もしくは生体情報などの保持および修正等の処理を行なうとともに、表示制御部３０を制御する。
【００６１】
具体的には、ＭＣＵ１１０は、ＧＰＳ通信部６０を制御し、少なくともＧＰＳアンテナ６４が受信した信号から衛星信号を抽出する処理を実行する。また、ＭＣＵ１１０は、表示制御部３０を制御し、駆動回路３２を介して表示制御部３０を制御する。ＧＰＳアンテナ６４は、複数のＧＰＳ衛星からの衛星信号を受信する。ただし、ＧＰＳアンテナ６４は、衛星信号以外の不要な電波も若干受信してしまう場合があるため、ＳＡＷフィルター６２は、ＧＰＳアンテナ６４が受信した信号から衛星信号を抽出する処理を行う。すなわち、ＳＡＷフィルター６２は、所定の周波数帯の信号を通過させるバンドパスフィルターとして構成される。ＭＣＵ１１０は、バラン６３を介して、ＧＰＳアンテナ６４に給電する。本実施形態では、ＧＰＳアンテナ６４への給電は平衡給電である。
【００６２】
また、ＧＰＳ通信部６０は、図示しないＲＦ（Radio Frequency：無線周波数）部およびベースバンド部を含んで構成されている。ＧＰＳ通信部６０は、ＳＡＷフィルター６２が抽出した所定の周波数帯（例えば１．５ＧＨｚ帯）のアナログの衛星信号を中間周波数帯の信号にダウンコンバートし、Ａ／Ｄ変換器（Analogue-to-Digital Converter）によってデジタル信号に変換し、搬送波の除去等を行って、航法メッセージを復調し、航法メッセージに含まれる軌道情報やＧＰＳ時刻情報等を取得する処理を行う。取得した軌道情報等を用いた位置算出処理は、ＭＣＵ１１０が行っても良いし、ＧＰＳ通信部６０が行っても良い。なお、ＧＰＳの衛星信号の処理及び位置算出処理は公知であるので詳細な説明を省略する。
【００６３】
また、ＭＣＵ１１０は、電池保護回路（保護回路）７６やＳＶＤ回路７３を用いて二次電池７０を充電する処理を制御し、例えばＤＣＤＣコンバーター素子８０ｂ，８０ｃ，８０ｄやＬＤＯ７４，７５などの電子部品に電源を供給する。電池保護回路７６は、例えばＵＳＢ端子などの外部端子７１と接続されたとき、外部電源と接続され二次電池７０を充電することができる。
【００６４】
また、ＭＣＵ１１０は、キー９４と接続されている。キー９４は、測定モードや表示モードなどのモード切り替えなどを外部から行う入力部として機能する。本構成では、５つの操作ボタン（５ｋｅｙ）を有している。
【００６５】
また、ＭＣＵ１１０は、圧力センサー５０、地磁気センサー５５、温度センサー６５、および加速度センサー６６などのセンサーを備えている。以下、各センサーについて説明する。
【００６６】
圧力センサー５０は、気圧データを取得してＭＣＵ１１０に送信する。ＭＣＵ１１０は、送られた気圧データに基づいて、ユーザー（装着者）の居る場所の高度（標高）を算出し、例えば表示部としてのＬＣＤ３４から高度（標高）情報として提示することができる。
【００６７】
地磁気センサー５５は、地磁気における磁界の向きを計測した地磁気データを取得し、ＭＣＵ１１０に送信する。ＭＣＵ１１０は、送られた地磁気データに基づいて演算処理を行い、ユーザー（装着者）の居る場所における方位情報（位置情報）として、例えば表示部としてのＬＣＤ３４から位置情報として提示することができる。
【００６８】
加速度センサー６６は、ユーザー（装着者）の移動量と方向に係るデータを取得し、ＭＣＵ１１０に送信する。ＭＣＵ１１０は、加速度センサー６６から送信されたデータを処理し、ユーザー（装着者）の移動量データを算出する。そして、ＭＣＵ１１０は、この移動量データと上記高度（標高）情報やＧＰＳ情報などとを組み合わせて用いることにより、ユーザー（装着者）の運動量（移動量）や消費カロリーなどを求めることができ、その結果を例えば表示部としてのＬＣＤ３４から提示することができる。
【００６９】
温度センサー６５は、ユーザー（装着者）の周囲における温度情報を取得し、ＭＣＵ１１０に送信する。ＭＣＵ１１０は、送られた温度情報に基づき、各電子部品の温度補償処理や消費カロリー演算などを行なうことができる。
【００７０】
また、ＭＣＵ１１０は、報知部９０を用いて、振動によりユーザー（装着者）に情報を伝達する手段として振動モーター２０を備えている。ＭＣＵ１１０は、報知部９０を制御し、振動モーター２０を駆動させた振動により、検出した位置情報や生体情報、或いは時刻情報等の種々の情報を振動（バイブレーション）によって報知することができる。なお、ＭＣＵ１１０は、表示制御部３０によるＬＣＤ３４の画像表示と併せて、この振動モーター２０による位置情報や生体情報、或いは時刻情報等の種々の情報を報知したり、表示部としてのＬＣＤ３４もしくは振動モーター２０のいずれかを用いて報知したりすることができる。
【００７１】
また、ＭＣＵ１１０は、通信部４０を備えている。通信部４０は、例えばＢｌｕｅｔｏｏｔｈ（登録商標）などの通信手段であり、他の情報処理機器（図示せず）との通信を行う通信用のアンテナ４３やフラッシュメモリー４７を備えている。通信部４０は、通信用のアンテナ４３を介し、各種センサーによって得られた位置情報や生体情報、或いは時刻情報等の種々の情報を他の情報処理機器に送信して表示するなどの提示を行うことができる。ＭＣＵ１１０は、バラン４２を介して通信用のアンテナ４３に給電する。なお、フラッシュメモリー４７には、例えばユーザー（装着者）の移動量データや、ユーザー（装着者）の運動量（移動量）や消費カロリーなどを記憶することができる。
【００７２】
このように、通信用のアンテナ４３などを含む通信部４０を備えていることにより、別体として設けられる他の情報処理機器（例えば、携帯型情報端末装置や携帯電話など）に、ユーザー（装着者）の位置情報や時刻情報、運動情報、もしくは生体情報などを表示したり報知したりすることができる。
【００７３】
上述した電子機器としての装着者情報測定装置１００によれば、二次電池７０の端子に接続された保護回路基板７２に対して、回路基板１２とは反対側に圧力センサー５０が配置されていることから、二次電池７０に対して回路基板１２とは反対側に保護回路基板７２を配置したり、回路基板１２、二次電池７０、保護回路基板７２、および圧力センサー５０を横並びに配置したりするよりも、配置に必要な収納空間を小さくすることができる。また、保護回路基板７２は、二次電池７０の一端の外側に配置され、回路基板１２の平面における外周端部に接続されている。これらにより、圧力センサー５０や保護回路基板７２のレイアウト性が向上し、小型の装着者情報測定装置１００を提供することが可能となる。
【００７４】
＜第２実施形態＞
次に、図４、および図５を参照して、本発明の電子機器の第２実施形態に係るウェアラブル型の装着者情報測定装置について説明する。図４は、第２実施形態に係る装着者情報測定装置の断面を示し、図１のｆ−Ｆにおける断面図である。図５は、図４のＢ部を拡大した部分断面図である。なお、図４、および図５では、説明の便宜上、それぞれ直交する３軸をＸ軸、Ｙ軸、Ｚ軸として示し、ユーザー（装着者）への装着方向をＺ軸方向としている。
【００７５】
本発明の第２実施形態に係るウェアラブル型の装着者情報測定装置２００は、前述の第１実施形態と同様に、ユーザー（装着者）の所与の部位（例えば、手首）に装着され、ユーザー（装着者）の位置情報や運動情報などを検出する。装着者情報測定装置２００は、ユーザーに装着されて位置情報や運動情報などを検出する機器本体１０と、機器本体１０に取り付けられ機器本体１０をユーザーに装着するためのバンド１５（図１参照）と、を有する。
【００７６】
本第２実施形態に係るウェアラブル型の装着者情報測定装置２００は、前述の第１実施形態に係る装着者情報測定装置１００と比し、二次電池７０に接続された保護回路基板７２と回路基板１２との接続構成が異なっており、他の構成は同様である。したがって、本第２実施形態の説明では、第１実施形態と異なる保護回路基板７２と回路基板１２との接続構成を中心に説明し、第１実施形態と同様な構成については、同符号を付してその説明を省略することがある。
【００７７】
図４および図５に示すように、第２実施形態に係るウェアラブル型の装着者情報測定装置２００では、二次電池７０に接続された保護回路基板７２と回路基板１２との接続に、二つのリード線７７が用いられている。
【００７８】
第１実施形態と同様に、回路基板１２に接続されている保護回路基板７２は、上面７２ａおよび上面７２ａと反対側の面である下面７２ｂとを備えた平板状の基板であり、二次電池７０の端子と接続リード板７９によって下面７２ｂ側で接続され、前述した回路基板１２の平面方向に、保護回路基板７２の平面方向が沿うように、受け部８２上に配置されている。保護回路基板７２は、二次電池７０の一端の外側に配置されており、回路基板１２の平面方向における外周端部に位置する端子電極２２に、接続部としての二つのリード線７７を介して電気的に接続されている。なお、保護回路基板７２の上面７２ａおよび下面７２ｂには、接続リード板７９、リード線７７などとの接続用の端子電極が配置されているが図面では省略し、図示していない。
【００７９】
なお、本形態における二つのリード線７７は、Ｙ軸方向に二つが並ぶ構成を示しているが、並び方向はこれに限らず、例えば保護回路基板７２のＸ軸方向の両端部に、リード線７７が並んで設けられているなど、他の配列構成であってもよい。
また、本形態では、受け部８２を設ける構成で説明したが、保護回路基板７２と回路基板１２との接続にリード線７７を用いる場合は、接続のための押圧が不要となるため、受け部８２を設けない構成であってもよい。
【００８０】
このようなリード線７７を用いた接続部によって、保護回路基板７２を回路基板１２に接続する構成によれば、例えば半田付けなどの接続方法を用いることができるため、接続の信頼度を維持しつつ、容易な接続方法により、接続のための自動化などを行い易く、加工工数の低減を図ることが可能となる。
【００８１】
このような第２実施形態に係るウェアラブル型の装着者情報測定装置２００においても、第１実施形態に係るウェアラブル型の装着者情報測定装置１００と同様な効果を有している。
【００８２】
なお、上述した実施形態において、表示部としてのＬＣＤ３４や報知部９０として振動による報知を行なう振動モーター２０は、装着者情報測定装置１００，２００の機器本体１０に配置されず、例えば携帯型情報端末装置や携帯電話機などの携帯型の情報機器に配置され、機器本体から無線通信、もしくは有線通信などによっての情報データを受信して、画像もしくは振動などを用いて提示もしくは報知することも可能である。
【００８３】
また、上述した実施形態において、保護回路基板７２と回路基板１２との接続部として、コイルばね７８またはリード線７７を用いた構成で説明したが、接続部はこの構成に限らない。他の接続構成としては、例えば、板バネを用いる構成、導電性接着剤を用いる構成などであってもよい。
【符号の説明】
【００８４】
１０…機器本体、１１…トップケース、１２…回路基板、１３…ボトムケース、１４…凹部、１５…バンド、１６…内部空間、１７…バンド装着部、１８…ベゼル、１９…ガラス板、２０…振動モーター、２２…端子電極、３０…表示制御部、３２…駆動回路、３４…表示部としてのＬＣＤ、４０…通信部、４２…バラン、４３…アンテナ、４７…フラッシュメモリー、５０…センサーとしての圧力センサー、５１…貫通孔、５２…開口部、５５…地磁気センサー、６０…ＧＰＳ通信部、６２…ＳＡＷフィルター、６３…バラン、６４…ＧＰＳアンテナ、６５…温度センサー、６６…加速度センサー、７０…電池としての二次電池、７１…外部端子、７２…保護回路基板、７３…ＳＶＤ回路、７６…電池保護回路（保護回路）、７７…リード線、７８…コイルばね、７９…接続リード板、８０…ＤＣＤＣコンバーター、８２…受け部、８４…ガイド部、９０…報知部、９４…キー、１００，２００…電子機器としての装着者情報測定装置、１１０…ＭＣＵ、Ｓ…配置領域、Ｑ…外気領域（開口領域）。
【図１】
2017026476.tif 000003
【図２】
2017026476.tif 000004
【図３】
2017026476.tif 000005
【図４】
2017026476.tif 000006
【図５】
2017026476.tif 000007
【図６】
2017026476.tif 000008